(57)【要約】【課題】壁面に対して発光パネルを容易に後付設置することができる。【解決手段】下地金具３は、壁面Ｗに対して発光パネル２を支持する。下地金具３は、壁面Ｗに固定される固定部３１１と、固定部３１１に接続され、発光パネル２の壁面Ｗと反対側を向く面に当接して発光パネル２を支持する前側支持部３２２と、を備える。【選択図】図５
2015225730.tif 000002
【特許請求の範囲】
【請求項１】
壁面に対して発光パネルを支持する下地金具であって、
前記壁面に固定される固定部と、
前記固定部に接続され、前記発光パネルの前記壁面と反対側を向く面に当接して前記発光パネルを支持する前側支持部と、を備える下地金具。
【請求項２】
前記壁面に沿った平板状をなして延びる壁側支持部を備え、
前記前側支持部が、前記壁面と交差する方向に前記壁側支持部よりも前記壁面から離れた位置で、前記壁側支持部の延びる方向に沿った平板状をなして延びており、
前記壁側支持部と前記前側支持部とによって前記発光パネルを挟持する請求項１に記載の下地金具。
【請求項３】
前記前側支持部は、前記壁側支持部よりも前記壁側支持部の延びる方向に長く形成されている請求項２に記載の下地金具。
【請求項４】
前記固定部及び前記前側支持部に接続され、前記固定部及び前記前側支持部よりも外側に形成される側部を備える請求項１から請求項３のいずれか一項に記載の下地金具。
【請求項５】
請求項１から請求項４のいずれか一項に記載の複数の下地金具と、
前記前側支持部によって支持される発光パネルと、
前記発光パネルに対して壁面に沿った方向に並んで配置される化粧パネルと、を備える発光パネル支持構造。
【請求項６】
前記壁面に対して前記発光パネルを支持している状態で、
前記化粧パネルは、前記壁面と反対側を向く化粧パネル前面と前記壁面との距離が６ｍｍ〜２４ｍｍである請求項５に記載の発光パネル支持構造。
【請求項７】
前記発光パネルに対して前記壁面と交差する方向に重なる位置に配置され、前記前側支持部に固定される透明パネルを備える請求項５または請求項６に記載の発光パネル支持構造。
【請求項８】
前記化粧パネルは、前記壁面から離れた側の面の前記壁面と交差する方向の位置が、前記透明パネルの前記壁面から離れた側の面に対して面一となるように配置される請求項７に記載の発光パネル支持構造。
【請求項９】
前記透明パネルと前記化粧パネルとの間に配置され、前記前側支持部に固定される目地材とを備える請求項８に記載の発光パネル支持構造。
【請求項１０】
前記発光パネルが、有機ＥＬ照明パネルである請求項５から請求項９のいずれか一項に記載の発光パネル支持構造。
【発明の詳細な説明】
【技術分野】
【０００１】
本発明は、下地金具、及びこれを備える発光パネル支持構造に関する。
【背景技術】
【０００２】
建築物の壁面に照明等の光源を埋め込む構造が従来から知られている。特に、近年では、ＬＥＤや有機ＥＬによる平板状の発光パネルを光源として壁面に埋め込む構造が用いられている。
【０００３】
例えば、特許文献１には光源として有機ＥＬを用いた照明構造が開示されている。この照明構造では、有機ＥＬユニットをレール状の導電部材を備える保持枠によって保持することで、有機ＥＬユニットが、制御ユニットに対して電力及び通信信号のやり取りが可能な状態で接続されている。この照明構造では、保持枠に対する有機ＥＬユニットの施工や交換を簡易化している。
【先行技術文献】
【特許文献】
【０００４】
【特許文献１】特開２０１２−２５２９８２号公報
【発明の概要】
【発明が解決しようとする課題】
【０００５】
しかしながら、有機ＥＬのような発光パネルを壁面に対して設置する際には、特許文献１に記載の照明構造のような保持枠を予め壁面に取り付け、その後、ユニット化した発光パネルを設置する必要がある。そのため、壁面に対して事後的に発光パネルを簡単に取り付けることが難しい。さらに、特許文献１とは異なり、発光パネルをユニット化せずに壁面に設置する場合には、発光パネル自体を壁面に対して固定するために壁面を窪ませるなどの加工を施す必要があり、より大きな工数や費用が生じてしまう。
【０００６】
本発明は、上記課題を解決するためになされたものであって、壁面に対して発光パネルを容易に後付設置することが可能な下地金具、及びこれを備える発光パネル支持構造を提供するものである。
【課題を解決するための手段】
【０００７】
上記課題を解決するために、本発明は以下の手段を提案している。
本発明の第一の態様における下地金具は、壁面に対して発光パネルを支持する下地金具であって、前記壁面に固定される固定部と、前記固定部に接続され、前記発光パネルの前記壁面と反対側を向く面に当接して前記発光パネルを支持する前側支持部と、を備える。
【０００８】
このような構成によれば、固定部によって壁面に固定された前側支持部に発光パネルの壁面と反対を向く面を当接させて支持することで、壁面に対して発光パネルを安定して設置することができる。即ち、発光パネルが壁面から離れる方向へ倒れてしまうことを抑制し、壁面に対して安定して発光パネルを支持することができる。
【０００９】
また、上記下地金具では、前記壁面に沿った平板状をなして延びる壁側支持部を備え、前記前側支持部が、前記壁面と交差する方向に前記壁側支持部よりも前記壁面から離れた位置で、前記壁側支持部の延びる方向に沿った平板状をなして延びており、前記壁側支持部と前記前側支持部とによって前記発光パネルを挟持してもよい。
【００１０】
このような構成によれば、平板状をなす前側支持部と、平板状をなす壁側支持部とによって発光パネルを挟持することで、発光パネルを安定して支持する構造を容易に形成することができる。具体的には、発光パネルの厚みに応じて、前側支持部と壁側支持部との間隔を調整することができる。そのため、発光パネルが壁面から離れる方向へ倒れてしまうことを高い精度で抑制することができる。したがって、壁面に対して発光パネルをより安定して支持することができる。また、壁面と発光パネルの壁面側を向く面との間に、壁側支持部が介在していることで、前側支持部と壁側支持部との間で発光パネルをスライドさせて挟持させても、発光パネルの壁面側を向く面が壁面と擦れて損傷することを低減できる。これらにより、壁面に対して下地金具を固定するだけで、発光パネルをより容易に後付設置することができる。
【００１１】
また、上記下地金具では、前記前側支持部は、前記壁側支持部よりも前記壁側支持部の延びる方向に長く形成されていてもよい。
【００１２】
このような構成によれば、平板状をなす前側支持部が、平板状をなす壁側支持部に比べて、壁側支持部の延びる方向に長く形成されていることで、壁面と前側支持部との間の空間を広く形成することができる。即ち、前側支持部のみが延びている領域では、壁側支持部が無い分だけ、壁面と前側支持部との間の空間を広く形成することができる。そのため、前側支持部と壁側支持部とで発光パネルを安定して挟持しながら、発光パネルとは厚みの異なる配線等の部材を壁面と前側支持部との間の空間に収めて配置することができる。これにより、部材を収容するために必要な壁面への加工が抑えられ、発光パネルを壁面に設置する際の工数が低減される。
【００１３】
また、上記下地金具では、前記壁面に対して前記発光パネルを支持している状態で、前記前側支持部は、前記壁面と反対側を向く前方面と前記壁面との距離が２ｍｍ〜６ｍｍであってもよい。
【００１４】
このような構成によれば、壁面から大きく突出させずに発光パネルを支持することができる。さらに、仮に前方面に透明パネルや化粧パネル等の他の部材を取り付けても、壁面から厚みを１２ｍｍ以内に収めることができる。これにより、室内空間を圧迫せずに、発光パネルを壁面に対して支持することができる。
【００１５】
また、上記下地金具では、前記固定部及び前記前側支持部に接続され、前記固定部及び前記前側支持部よりも外側に形成される側部を備えていてもよい。
【００１６】
このような構成によれば、固定部によって壁面に固定された前側支持部に発光パネルの壁面と反対を向く面を当接させて支持することで、側部によって壁面の外縁に端面を形成しながら、壁面に対して発光パネルを安定して設置することができる。即ち、発光パネルが壁面から離れる方向へ倒れてしまうことを抑制し、壁面に対して安定して発光パネルを支持することができる。
【００１７】
また、本発明の第二の態様における発光パネル支持構造は、複数の前記下地金具と、前記前側支持部によって支持される発光パネルと、前記発光パネルに対して壁面に沿った方向に並んで配置される化粧パネルと、を備える。
【００１８】
このような構成によれば、下地金具によって化粧パネルが、発光パネルに対して並んで配置することができ、化粧パネルで意匠性を向上させながら、壁面に対して発光パネルを取り付けることができる。
【００１９】
また、上記発光パネル支持構造では、前記壁面に対して前記発光パネルを支持している状態で、前記化粧パネルは、前記壁面と反対側を向く化粧パネル前面と前記壁面との距離が６ｍ〜２４ｍｍであってもよい。
【００２０】
このような構成によれば、壁面に対して発光パネルを支持している状態で、壁面から化粧パネル前面までの距離を６ｍｍから２４ｍｍの範囲内とすることで、室内に対して大きく突出して室内空間を圧迫することなく、壁面に発光パネルが組み込まれた面を形成することができる。
【００２１】
また、上記発光パネル支持構造では、前記発光パネルに対して前記壁面と交差する方向に重なる位置に配置され、前記前側支持部に固定される透明パネルを備えていてもよい。
【００２２】
このような構成によれば、発光パネルの壁面と交差する方向に重なる位置に透明パネルが配置されることで、発光パネルの面が外部から触れられることを防止して、壁面に取り付けた発光パネルを保護することができる。
【００２３】
また、上記発光パネル支持構造では、前記化粧パネルは、前記壁面から離れた側の面の前記壁面と交差する方向の位置が、前記透明パネルの前記壁面から離れた側の面に対して面一となるように配置されてもよい。
【００２４】
このような構成によれば、下地金具によって、透明パネルの壁面から離れた側の面と化粧パネルの壁面から離れた側の面とが、壁面と交差する方向の位置を面一となるように支持されることで、室内空間の意匠性が損なわれることを抑制できる。具体的には、透明パネルの壁面から離れた側の面と化粧パネルの壁面から離れた側の面とを面一となるように、透明パネルと化粧パネルとを下地金具で支持することで、部分的に室内空間を狭めるような大きな凹凸が形成されることを抑制することができる。これにより、室内空間を圧迫することなく、室内空間の意匠性の保つことが容易にできる。
【００２５】
また、上記発光パネル支持構造では、前記透明パネルと前記化粧パネルとの間に配置され、前記前側支持部に固定される目地材とを備えていてもよい。
【００２６】
このような構成によれば、透明パネルと化粧パネルとの間に目地材を配置することで、化粧パネルや透明パネルを安定して下地金具に固定することができる。具体的には、温度や湿度の変化に伴って透明パネルと化粧パネルとが伸びる。そのため、部分的に透明パネルと化粧パネルとの端面同士の距離が変化して、接触してしまうおそれがある。ところが、透明パネルと化粧パネルとの間に目地材を配置することで、目地材によって透明パネル及び化粧パネルの伸びを吸収することができる。これにより、透明パネルと化粧パネルとの端面同士が接触してしまうことを抑制して、化粧パネルや透明パネルの損傷を抑制することができる。
【００２７】
また、上記発光パネル支持構造では、前記発光パネルが、有機ＥＬ照明パネルであってもよい。
【００２８】
このような構成によれば、発光パネルとして有機ＥＬ照明パネルを用いることで、発光パネル自体を薄くすることができる。そのため、発光パネルを支持するために必要なスペースを抑えることができ、下地金具によって発光パネルを壁面に取り付けた状態での壁面からの突出量をより抑えることができる。
【発明の効果】
【００２９】
本発明によれば、壁面に対して発光パネルを前側支持部で安定して支持することができ、壁面に対して発光パネルを容易に後付設置することができる。
【図面の簡単な説明】
【００３０】
【図１】本発明の実施形態における発光パネル支持構造の概略構成図である。
【図２】図１におけるＡ部の拡大図である。
【図３】図１におけるＩＩＩ−ＩＩＩ断面を説明する断面図である。
【図４】図１におけるＩＶ−ＩＶ断面を説明する断面図である。
【図５】図３におけるＢ部の拡大図である。
【図６】本発明の第二実施形態における端部材を説明する拡大図である。
【発明を実施するための形態】
【００３１】
《第一実施形態》
以下、本発明に係る第一実施形態について図１から図５を参照して説明する。
本発明の実施形態に係る発光パネル支持構造１は、壁面Ｗに対して発光パネル２を取り付ける。本実施形態の発光パネル支持構造１は、図１に示すように、建築物の室内の既設の壁面Ｗに複数の発光パネル２を取り付けて、壁面Ｗよりも室内側に内装壁面Ｗ１を形成する。
【００３２】
図２から図４に示すように、本実施形態の発光パネル支持構造１は、面光源である発光パネル２と、壁面Ｗに対して発光パネル２等を支持する下地金具３と、下地金具３に固定される透明パネル４と、透明パネル４と並んで配置される化粧パネル５と、透明パネル４と化粧パネル５との間に配置される目地材６と、化粧パネル５と壁面Ｗとの間に配置される木下地材７と、発光パネル支持構造１の端部を形成する端部材８と、下地金具３や端部材８を壁面Ｗに固定する固定部材９とを備える。
【００３３】
なお、本実施形態の発光パネル支持構造１は、複数の発光パネル２を有しており、それぞれの発光パネル２に対応するように下地金具３、透明パネル４、目地材６が設けられている。本実施形態の発光パネル支持構造１は、複数の透明パネル４や化粧パネル５が組み合わさることで、建築物等の壁面Ｗとは異なる内装壁面Ｗ１を形成している。
【００３４】
また、本実施形態の発光パネル支持構造１では、一つの下地金具３や端部材８に対応して複数の固定部材９が設けられており、一つ化粧パネル５に対応して一つの木下地材７が設けられている。
【００３５】
発光パネル２は、平板状をなす面光源であり、発光する発光面２ａが形成されている。本実施形態の発光パネル２としては、例えば、厚さ２．５ｍｍ程度の矩形状の有機ＥＬ照明パネルを用いる。本実施形態の発光パネル２には、前面をなす発光面２ａの外縁部分に発光しない額縁部（不図示）が所定の幅で形成されている。本実施形態の発光パネル２は、発光面２ａと反対側を向く裏面における額縁部に相当する部分から給電用の配線２１が延びている。この配線２１は、発光パネル２と接続されていない側の端部にコネクタ２２が設けられており、コネクタ２２を介して線長の長い他の配線に接続され、電力を供給する屋内のコンセント等の電源部（不図示）に接続されている。
【００３６】
本実施形態における発光パネル２として、図２から図４に示すように、直方形状の発光パネル２を例に挙げて具体的に説明する。なお、以下、他の部材の説明時についても、この発光パネル２を支持する場合を例に挙げて説明する。
【００３７】
本実施形態の発光パネル２は、壁面Ｗに取り付けられた状態で、壁面Ｗと交差する方向である前後方向の前側に発光面２ａを向けて配置される。本実施形態の発光パネル２は、壁面Ｗに取り付けられた状態で、水平方向に延びる長方形状をなしている。本実施形態の発光パネル２では、給電用の配線２１は、壁面Ｗに取り付けられた状態で鉛直方向の上方側の長辺の中心部分から延びている。なお、本実施形態では、発光パネル２を壁面Ｗに取り付ける際に、図４に示すように、発光パネル２の配線２１が接続されている部分に対応する壁面Ｗに、円形状に窪む凹部Ｃが形成されている。
【００３８】
下地金具３は、壁面Ｗに固定され、壁面Ｗに対して発光パネル２を支持する。本実施形態の下地金具３は、一つの発光パネル２に対して、その四辺にそれぞれ配置されている。本実施形態の下地金具３は、アルミの押出成形によって形成され、同一断面形状をなして延在している。具体的には、本実施形態の下地金具３は、発光パネル２の端部を支持する第一下地金具３ａと、第一下地金具３ａが支持した端部とは交差する方向の端部を支持する第二下地金具３ｂとを有する。
【００３９】
第一下地金具３ａは、発光パネル２の長辺方向の両端を支持する。具体的には、本実施形態の第一下地金具３ａは、発光パネル２の水平方向の両端を支持するように、発光パネル２の水平方向の幅に合わせて壁面Ｗ上で水平方向に互いに離間して、一対配置されている。本実施形態の第一下地金具３ａは、壁面Ｗに対して鉛直方向の延在した状態で固定部材９によって固定される。本実施形態の第一下地金具３ａは、図５に示すように、矩形平板状をなすベース部３１と、ベース部３１から突出する第一突出部３２と、断面形状が第一突出部３２と反対側を向いた状態でベース部３１から突出する第二突出部３３とを有する。
【００４０】
ベース部３１は、壁面Ｗに当接して固定される。本実施形態のベース部３１は、第一下地金具３ａの延在する方向と交差する方向の断面形状が、壁面Ｗに沿って延びる長方形状をなす平板状に形成されている。具体的には、本実施形態のベース部３１は、断面形状における中央部分を形成する固定部３１１と、断面形状における両端部分を形成する二つの壁側支持部３１２とを有する。
【００４１】
固定部３１１は、固定部材９によって壁面Ｗに固定される。本実施形態の固定部３１１は、不図示の貫通孔が複数形成されている。本実施形態の固定部３１１は、壁面Ｗ側を向く固定部壁側面３１１ａと、固定部壁側面３１１ａの反対側を向く固定部前側面３１１ｂとが形成されている。
【００４２】
固定部壁側面３１１ａは、ベース部３１の延在する方向に延びる直方形状をなしている。固定部壁側面３１１ａは、第一下地金具３ａが壁面Ｗに固定された状態で、壁面Ｗに当接する面である。
【００４３】
固定部前側面３１１ｂは、壁面Ｗ側の反対側である前後方向の前側を向いて形成されている。固定部前側面３１１ｂは、固定部壁側面３１１ａと平行に形成されている。固定部前側面３１１ｂは、ベース部３１の延在する方向に延びる直方形状をなしている。
【００４４】
壁側支持部３１２は、固定部３１１に接続され、発光パネル２の裏面に当接して発光パネル２を支持する。本実施形態の壁側支持部３１２は、固定部３１１の両端で固定部３１１と一体に接続され、矩形平板状のベース部３１を形成している。本実施形態の壁側支持部３１２は、ベース部３１において、第一突出部３２や第二突出部３３が突出する部分よりも外側の領域である。具体的には、本実施形態の壁側支持部３１２は、壁面Ｗ側を向く壁固定面３１２ａと、壁固定面３１２ａの反対側を向く壁側当接面３１２ｂとがそれぞれ形成されている。
【００４５】
壁固定面３１２ａは、ベース部３１の延在する方向に延びる直方形状をなして固定部壁側面３１１ａの両側に形成され、固定部壁側面３１１ａと一体の平面を形成している。壁固定面３１２ａは、第一下地金具３ａが壁面Ｗに固定された状態で、壁面Ｗに当接する面である。
【００４６】
壁側当接面３１２ｂは、壁面Ｗ側の反対側である前後方向の前側を向いて形成されている。壁側当接面３１２ｂは、壁固定面３１２ａと平行にそれぞれ形成されている。壁側当接面３１２ｂは、ベース部３１の延在する方向に延びる直方形状をなしている。壁側当接面３１２ｂは、第一下地金具３ａによって発光パネル２を支持した状態で、発光パネル２の裏面と当接する面である。
【００４７】
第一突出部３２は、ベース部３１から前後方向の前側に向かって突出している。本実施形態の第一突出部３２は、ベース部３１と一体に形成されている。本実施形態の第一突出部３２は、第一下地金具３ａの延在する方向と交差する方向の断面形状が、Ｌ字形状をなしている。本実施形態の第一突出部３２は、固定部３１１において貫通孔が形成可能な幅だけ断面の中心部分よりも外側にずれた位置から、外側に向かうようにＬ字形状をなして突出している。本実施形態の第一突出部３２は、ベース部３１から前後方向の前側に向かって延びる接続部３２１と、接続部３２１の前側の端部から壁面Ｗに沿って延びる前側支持部３２２とを有する。
【００４８】
接続部３２１は、ベース部３１と一体に形成されている。具体的には、本実施形態の接続部３２１は、固定部前側面３１１ｂから前後方向の前方に向かって矩形平板状をなして延びている。本実施形態の接続部３２１は、固定部３１１側を向く接続部内側面３２１ａと、接続部内側面３２１ａの反対側を向く接続部外側面３２１ｂとが形成されている。
【００４９】
接続部内側面３２１ａは、固定部前側面３１１ｂから垂直に延びている。接続部内側面３２１ａは、第一突出部３２の延在する方向に延びる長方形状をなしている。
【００５０】
接続部外側面３２１ｂは、接続部内側面３２１ａと平行となるように、固定部前側面３１１ｂから垂直に延びている。接続部３２１外周面は、固定部３１１側と反対側である壁側支持部３１２の先端側を向いて形成されている。接続部外側面３２１ｂは、第一突出部３２の延在する方向に延びる長方形状をなしている。
【００５１】
前側支持部３２２は、発光パネル２の壁面Ｗと反対側を向く面である発光面２ａに当接して、発光パネル２を支持する。前側支持部３２２は、前後方向の前側に壁側支持部３１２よりも壁面Ｗから離れた位置で、壁側支持部３１２の延びる方向に沿った平板状をなして延びている。前側支持部３２２は、接続部３２１からの距離が壁側支持部３１２よりも壁側支持部３１２の延びる方向に向かって長く形成されている。本実施形態の前側支持部３２２は、壁側支持部３１２から所定の間隔だけ前方に離れた位置で、壁側支持部３１２と平行になるように形成されている。本実施形態における所定の間隔とは、発光パネル２を壁側支持部３１２と前側支持部３２２とによって挟持することが可能な間隔であり、発光パネル２の厚みに対応した間隔である。本実施形態の前側支持部３２２は、接続部３２１の前後方向の前側の端部から、壁面Ｗに沿うように壁側支持部３１２の先端側に向かって延びている。本実施形態の前側支持部３２２は、壁面Ｗ側を向く前側当接面３２２ｂと、壁面Ｗの前側を向くパネル固定面３２２ａとが形成されている。
【００５２】
前側当接面３２２ｂは、壁側当接面３１２ｂと対向するように、接続部外側面３２１ｂに対して垂直に形成されている。前側当接面３２２ｂは、接続部外側面３２１ｂから距離が壁固定面３１２ａと比べて長く、第一突出部３２の延在する方向に延びる長方形状に形成されている。前側当接面３２２ｂは、第一下地金具３ａによって発光パネル２を支持した状態で、発光パネル２の発光面２ａと当接する面である。
【００５３】
パネル固定面３２２ａは、壁面Ｗ側の反対側である前後方向の前側を向いて形成されている。パネル固定面３２２ａは、前側当接面３２２ｂと平行になるように、接続部内側面３２１ａから垂直に形成されている。パネル固定面３２２ａは、第一突出部３２の延在する方向に延びる長方形状をなしている。パネル固定面３２２ａは、後述する透明パネル４や化粧パネル５や目地材６が固定される面である。
【００５４】
第二突出部３３は、第一突出部３２と同様に、ベース部３１から前後方向の前側に向かって突出している。本実施形態の第二突出部３３も、ベース部３１と一体に形成されている。本実施形態の第二突出部３３は、第一下地金具３ａの延在する方向と交差する方向の断面形状が、第一突出部３２とは反対を向くＬ字形状をなしている。本実施形態の第二突出部３３は、固定部３１１において貫通孔を挟んで中心部分よりも、第一突出部３２が突出している側とは反対側の外側にずれた位置から、外側に向かうようにＬ字形状をなして突出している。即ち、本実施形態の第二突出部３３は、固定部３１１を介して第一突出部３２と対称となるような断面形状をなしている。したがって、本実施形態の第二突出部３３も、接続部３２１と、前側支持部３２２とを有している。
【００５５】
第二下地金具３ｂは、第一下地金具３ａが支持する発光パネル２の両端と交差する方向の両端を支持する。本実施形態に第二下地金具３ｂは、発光パネル２の短辺方向の両端を支持する。具体的には、本実施形態の第二下地金具３ｂは、発光パネル２の鉛直方向の両端を支持するように、発光パネル２の鉛直方向の幅に合わせて壁面Ｗ上で鉛直方向に互いに離間して、一対配置されている。
【００５６】
本実施形態の第二下地金具３ｂは、第一下地金具３ａと異なり、壁面Ｗに対して水平方向の延在した状態で固定部材９によって固定される。本実施形態の第二下地金具３ｂは、延在する方向と交差する方向の断面形状が第一下地金具３ａと同一の形状をなしている。本実施形態の第二下地金具３ｂは、延在する方向の長さが発光パネル２の長辺の長さに合わせて、第一下地金具３ａよりも長く形成されている。即ち、本実施形態の第二下地金具３ｂも、第一下地金具３ａと同じ断面形状のベース部３１、第一突出部３２、及び第二突出部３３を有している。
【００５７】
また、下地金具３である第一下地金具３ａ及び第二下地金具３ｂは、壁面Ｗに対して発光パネル２を支持している状態で、壁面Ｗからパネル固定面３２２ａまでの距離が２ｍｍから６ｍｍの範囲で形成されることが好ましい。具体的には、本実施形態の第一下地金具３ａ及び第二下地金具３ｂでは、ベース部３１、第一突出部３２、及び第二突出部３３は押出成形によって一体に形成されており、各部位が１ｍｍ程度の肉厚で加工されている。そのため、本実施形態の第一下地金具３ａ及び第二下地金具３ｂでは、壁固定面３１２ａからパネル固定面３２２ａまでが４．５ｍｍ程度の厚みで形成されている。
【００５８】
なお、第一下地金具３ａ及び第二下地金具３ｂにおいて、第一突出部３２と第二突出部３３のどちらの前側支持部３２２で発光パネル２を支持してもよいが、本実施形態では、一例として、発光パネル２を壁面Ｗに設置した状態で、発光パネル２を支持する側を第一突出部３２とし、発光パネル２を支持しない側を第二突出部３３とする。
【００５９】
透明パネル４は、発光パネル２に対して壁面Ｗと交差する方向である前後方向に重なる位置に配置され、前側支持部３２２に固定される。本実施形態の透明パネル４は、発光パネル２を囲む一対の第一下地金具３ａと、一対の第二下地金具３ｂとによって、発光パネル２の前方に固定されている。本実施形態の透明パネル４は、発光パネル２の外径よりも一回り大きい矩形平板状をなしている。本実施形態の透明パネル４は、無色透明の部材である。具体的には、本実施形態の透明パネル４は、前後方向の前側を向く透明パネル前面４ａと、前後方向の壁面Ｗ側を向く透明パネル固定面４ｂと、外周面である透明パネル側端面４ｃとが形成されている。本実施形態の透明パネル４は、透明パネル固定面４ｂの外縁部分が、第一下地金具３ａ及び第二下地金具３ｂの第一突出部３２側の前側支持部３２２のパネル固定面３２２ａに不図示の接着剤を介して当接されることで固定されている。透明パネル４は、透明パネル前面４ａと、透明パネル固定面４ｂとの前後方向の距離である厚みについて限定されるものではない。本実施形態では、例えば、６ｍｍ、１２ｍｍ、１５ｍｍ、１８ｍｍの厚みの透明パネル４が用いられることが好ましい。特に、本実施形態の透明パネル４は、その厚みが６ｍｍ程度に形成されている。
【００６０】
また、本実施形態の透明パネル４は、無色透明の部材として形成されているが、完全に無色透明であることに限定されるものではなく、発光パネル２の光が透過させることができればよい。例えば、透明パネル４は、パネル固定面３２２ａに模様が形成されていたり、文字・矢印等の情報表示が形成されていたりしてもよい。また、透明パネル４は、透過性が確保される程度に色が付いていてもよい。
【００６１】
化粧パネル５は、壁面Ｗから離れた側の面の位置が、透明パネル４の壁面Ｗから離れた側の面と前後方向の位置が面一となるように配置されている。化粧パネル５は、第一下地金具３ａ、第二下地金具３ｂ、木下地材７及び端部材８によって固定される。化粧パネル５は、発光パネル２に対して壁面Ｗに沿った方向である水平方向や鉛直方向に並んで配置される。本実施形態の化粧パネル５は、配置される場所ごとに異なる大きさの矩形平板状に形成されている。
【００６２】
具体的には、本実施形態の化粧パネル５は、前後方向の前側を向く化粧パネル前面５ａと、前後方向の壁面Ｗ側を向く化粧パネル固定面５ｂと、外周面である化粧パネル側端面５ｃとが形成されている。したがって、本実施形態の化粧パネル５は、化粧パネル前面５ａの前後方向の位置が透明パネル前面４ａの前後方向の位置と同程度の位置となるように、壁面Ｗに沿って水平方向や鉛直方向に透明パネル４と並んで配置されている。化粧パネル５では、化粧パネル前面５ａと、化粧パネル固定面５ｂとの前後方向の距離である厚みについて限定されるものではない。本実施形態では、例えば、６ｍｍ、１２ｍｍ、１５ｍｍ、１８ｍｍの厚みの化粧パネル５が用いられることが好ましい。特に、本実施形態の化粧パネル５は、透明パネル４と同じ厚みである６ｍｍ程度に形成されている。
【００６３】
本実施形態の化粧パネル５は、図５に示すように、第一下地金具３ａや第二下地金具３ｂを固定している固定部材９に対して前後方向の位置が重なるように、透明パネル４側を向く化粧パネル側端面５ｃが、第二突出部３３側の前側支持部３２２の接続部内側面３２１ａから飛び出して配置される。したがって、本実施形態の化粧パネル５は、透明パネル４側の化粧パネル固定面５ｂの外縁部分が第二突出部３３側のパネル固定面３２２ａからはみ出した状態で不図示の接着剤を介して当接され、第一下地金具３ａや第二下地金具３ｂに対して固定部材９を隠すように固定されている。
【００６４】
また、本実施形態の化粧パネル５は、透明パネル４側以外の化粧パネル固定面５ｂの外縁部分の一部が端部材８に不図示の接着剤を介して当接することで固定されている。さらに、本実施形態の化粧パネル５は、化粧パネル固定面５ｂの中央部分の一部が、後述する木下地材７に不図示の接着剤を介して当接することで固定されている。
【００６５】
目地材６は、透明パネル４と化粧パネル５との間に配置され、前側支持部３２２に固定されている。本実施形態の目地材６は、透明パネル側端面４ｃと、化粧パネル側端面５ｃとに対して隙間をあけて配置されている。本実施形態の目地材６は、第一突出部３２側の前側支持部３２２のパネル固定面３２２ａに固定されている。本実施形態の目地材６は、Ｃ形状のような矩形環状の一方の面が開口された断面形状をなして長手方向に延在している。本実施形態の目地材６は、前後方向の前側に開口が向いた状態でパネル固定面３２２ａの延びる延在方向に長手方向を合わせて配置され、壁面Ｗ側がパネル固定面３２２ａに固定されている。具体的には、本実施形態の目地材６は、図５に示すように、透明パネル４を固定している第一突出部３２側のパネル固定面３２２ａの接続部内側面３２１ａ側に、透明パネル４と並んで接着されている。
【００６６】
木下地材７は、化粧パネル５を壁面Ｗ側から支持している。木下地材７は、壁面Ｗに沿って並んだ下地金具３同士の間や、下地金具３と端部材８との間に配置されている。本実施形態の木下地材７は、矩形平板状をなしており、壁面Ｗと化粧パネル５とに当接する厚みで形成されている。本実施形態の木下地材７は、壁面Ｗや化粧パネル５に対して不図示の接着剤で接着されて固定されている。
【００６７】
端部材８は、内装壁面Ｗ１における鉛直方向や水平方向の端部を形成する。本実施形態の端部材８は、化粧パネル５を固定している。本実施形態の端部材８は、アルミの押出成形によって形成され、同一断面形状をなして延在している。本実施形態の端部材８は、壁面Ｗに固定される端部材固定部８１と、端部材固定部８１の端部から前後方向の前方に向かって延びる側部８２と、側部８２に接続されて化粧パネル５を支持する端部材前側支持部８３と、を有する。
【００６８】
端部材固定部８１は、固定部材９によって壁面Ｗに固定される。本実施形態の端部材固定部８１は、端部材８の延在する方向と交差する方向の断面形状が、壁面Ｗに沿って延びる長方形状なす平板状に形成されている。本実施形態の端部材固定部８１は、第一下地金具３ａや第二下地金具３ｂのベース部３１と同じ厚みで、ベース部３１よりも幅広に形成されている。本実施形態の端部材固定部８１は、不図示の貫通孔が複数形成されている。具体的には、本実施形態の端部材固定部８１は、壁面Ｗ側を向く端部材壁固定面８１ａと、端部材壁固定面８１ａの反対側を向く端部材壁側当接面８１ｂとが形成されている。
【００６９】
端部材壁固定面８１ａは、端部材８の延在する方向に延びる長方形状をなしている。端部材壁固定面８１ａは、端部材８が壁面Ｗに固定された状態で、壁面Ｗに当接する面である。
【００７０】
端部材壁側当接面８１ｂは、壁面Ｗ側の反対側である前後方向の前側を向いて形成されている。端部材壁側当接面８１ｂは、端部材壁固定面８１ａと平行に形成されている。端部材壁側当接面８１ｂは、端部材８の延在する方向に延びる長方形状をなしている。
【００７１】
側部８２は、端部材固定部８１及び端部材前側支持部８３に接続され、端部材固定部８１及び端部材前側支持部８３よりも外側に形成される。側部８２は、端部材固定部８１と一体に形成されている。本実施形態の側部８２は、端部材固定部８１の長方形状をなす断面の一方の端部から、前後方向の前方に向かって矩形平板状をなして延びている。本実施形態の側部８２は、第一下地金具３ａや第二下地金具３ｂの接続部３２１よりも前側に長くに形成されている。具体的には、本実施形態の側部８２は、前後方向の長さが第一下地金具３ａにおける接続部３２１と前側支持部３２２に固定された目地材６とを合わせた長さと同程度に形成されている。本実施形態の側部８２は、端部材固定部８１側を向く側部内側面８２ａと、側部内側面８２ａの反対側を向く側部外側面８２ｂとが形成されている。
【００７２】
側部内側面８２ａは、端部材壁側当接面８１ｂの一方の端部から垂直に前後方向の前方に向かって延びている。側部内側面８２ａは、端部材８の延在する方向に延びる長方形状をなしている。
【００７３】
側部外側面８２ｂは、端部材固定部８１側と反対側である外側を向いて形成されている。側部外側面８２ｂは、側部内側面８２ａと平行となるように、端部材壁固定面８１ａから垂直に延びている。側部外側面８２ｂは、端部材８の延在する方向に延びる長方形状をなしている。
【００７４】
端部材前側支持部８３は、化粧パネル５の端部を支持する。端部材前側支持部８３は、前後方向の前側に端部材固定部８１よりも壁面Ｗから離れた位置で、端部材固定部８１の延びる方向に沿った平板状をなして側部８２から延びている。端部材前側支持部８３は、側部８２からの距離が端部材固定部８１よりも壁側支持部３１２の延びる方向に短く形成されている。本実施形態の端部材前側支持部８３は、前側支持部３２２と同様に、所定の間隔だけ端部材固定部８１から前方に離れた位置で、端部材固定部８１と平行になるように形成されている。具体的には、本実施形態の端部材前側支持部８３は、側部内側面８２ａの前後方向の途中から、壁面Ｗに沿うように側部内側面８２ａに対して直交して延びている。本実施形態の端部材前側支持部８３は、壁面Ｗ側を向く端部材前側当接面８３ｂと、壁面Ｗの前側を向く端部材パネル固定面８３ａとが形成されている。
【００７５】
端部材前側当接面８３ｂは、端部材壁側当接面８１ｂと対向するように、側部内側面８２ａの前後方向の途中から垂直に形成されている。端部材前側当接面８３ｂは、端部材８の延在する方向に延びる長方形状をなしている。端部材前側当接面８３ｂは、側部内側面８２ａから距離が端部材壁固定面８１ａと比べて短く形成されている。
【００７６】
端部材パネル固定面８３ａは、壁面Ｗ側の反対側である壁面Ｗの前側を向いて形成されている。端部材パネル固定面８３ａは、端部材前側当接面８３ｂと平行になるように、側部内側面８２ａから垂直に形成されている。端部材パネル固定面８３ａは、化粧パネル固定面５ｂが当接する面である。
【００７７】
固定部材９は、下地金具３や端部材８を壁面Ｗに対して固定する部材である。本実施形態の固定部材９は、例えば、木ネジを用いる。
なお、固定部材９は、下地金具３や端部材８を壁面Ｗに対して固定できればよく、本実施形態で用いた木ネジに限定されるものでない。例えば、釘を用いたり、木下地材７を固定する場合と同様に接着剤を用いたり、建築用の両面テープを用いてもよい。
【００７８】
次に、上記第一実施形態の下地金具３の施工方法について説明する。
第一実施形態の発光パネル支持構造１を壁面Ｗに取り付ける際には、事前に壁面Ｗに対して発光パネル２を設置するための部材を準備する（準備工程Ｓ１０）。具体的には、上述したように、複数の発光パネル２、第一下地金具３ａ、第二下地金具３ｂ、透明パネル４、化粧パネル５、目地材６、木下地材７、端部材８、及び固定部材９を準備する。
【００７９】
次に、準備した第一下地金具３ａ及び第二下地金具３ｂに対して目地材６を固定する（目地材固定工程Ｓ２０）。具体的には、本実施形態では、第一下地金具３ａ及び第二下地金具３ｂのパネル固定面３２２ａに対して、目地材６を固定する。より具体的には、本実施形態では、パネル固定面３２２ａの延在方向に目地材６の長手方向の向きを合わせて、開口を前後方向の前側に向けてパネル固定面３２２ａに目地材６を固定する。
【００８０】
その後、発光パネル２を設置する予め定めた複数の位置に対して、目地材６が固定された一対の第一下地金具３ａと、鉛直方向の下方側に配置される第二下地金具３ｂとを予め壁面Ｗに固定する（下地金具固定工程Ｓ３０）。具体的には、一対の第一下地金具３ａを、設置する発光パネル２の水平方向の幅に対応するように離間して配置し、固定部材９を不図示の貫通孔に挿通することで壁面Ｗに固定する。第二下地金具３ｂを、固定された第一下地金具３ａの鉛直方向の下方側の発光パネル２の鉛直方向の幅に対応する位置に配置し、固定部材９を不図示の貫通孔に挿通することで壁面Ｗに固定する。
【００８１】
壁面Ｗに固定されている下地金具３に対して、目地材６の長手方向に対して発光パネル２のいずれか一方の辺を平行に合わせて配置し、発光パネル２を前側支持部３２２で支持する（発光パネル支持工程Ｓ４０）。具体的には、第一下地金具３ａに固定された目地材６の長手方向に対して発光パネル２の短辺を平行に合わせて配置する。より具体的には、一対の第一下地金具３ａ及び鉛直方向の下方側に配置された第二下地金具３ｂに対して、第一突出部３２側の前側支持部３２２と壁側支持部３１２との間に発光パネル２の端部を挿入して、スライドさせることで嵌め込まれる。発光パネル２が嵌め込まれた状態で、第二下地金具３ｂが、発光パネル２の鉛直方向の上端を第一突出部３２側の前側支持部３２２と壁側支持部３１２との間に挿入するように鉛直方向の上方側から嵌め込まれて壁面Ｗに固定される。これにより、発光パネル２が、その四方の辺が目地材６の長手方向と平行に配置された状態で下地金具３によって支持され、壁面Ｗに対して位置が固定される。
【００８２】
発光パネル２が設置された状態で、発光パネル２から延びる配線２１は、コネクタ２２を介して線長の長い他の配線に接続され、前側支持部３２２よりも前後方向の前側に出ないように引き回されて、不図示の屋内のコンセント等の電源部に接続される（配線引き回し工程Ｓ５０）。具体的には、例えば、配線２１は、発光パネル２を支持している第一突出部３２と隣接する第二突出部３３の前側支持部３２２と壁面Ｗとの間に収容されたり、隣接する他の第一下地金具３ａや第二下地金具３ｂの前側支持部３２２と壁面Ｗとの間に収容されたりして引き回されている。また、配線２１は、化粧パネル５の化粧パネル固定面５ｂと壁面Ｗとの間に収容されて引き回されていてもよい。
【００８３】
なお、使用する発光パネル２の裏面から延びている給電用の配線２１の裏面からの突出量が大きい場合には、壁面Ｗの対応する箇所に凹部Ｃを形成したり、鉛直方向の上方側から取り付けられる第二下地金具３ｂの第一突出部３２側の壁側支持部３１２の一部に配線２１を通すための切り欠きを形成したりしてもよい。
【００８４】
また、端部材８は、形成する内装壁面Ｗ１の外縁に合わせて配置され、固定部材９が不図示の貫通孔を挿通することで壁面Ｗに固定されている（端部材固定工程Ｓ６０）。また、水平方向や鉛直方向に並んだ第一下地金具３ａや第二下地金具３ｂと端部材８との間には、木下地材７が接着剤によって壁面Ｗに固定されている（木下地材固定工程Ｓ７０）。
【００８５】
壁面Ｗに固定された下地金具３や端部材８や木下地材７に対して、透明パネル４や化粧パネル５が固定されている。具体的には、透明パネル４は、第一突出部３２側のパネル固定面３２２ａに対して外縁部分が接着されることで、発光パネル２の前方に重なるように固定されている（透明パネル固定工程Ｓ８０）。透明パネル４は、第一突出部３２側のパネル固定面３２２ａ上に目地材６と並んで配置される。したがって、一つの前側支持部３２２のパネル固定面３２２ａ上に、透明パネル４と目地材６とが僅かに隙間を設けた状態で並んで固定されている。これにより、目地材６は、透明パネル４の四方を取り囲むように配置される。
【００８６】
また、化粧パネル５は、透明パネル４に対して、化粧パネル前面５ａの前後方向の位置が透明パネル前面４ａの前後方向の位置と面一となるように、壁面Ｗに沿って水平方向や鉛直方向に並んで配置されている（化粧パネル固定工程Ｓ９０）。化粧パネル５では、化粧パネル固定面５ｂの外縁部分のうち、透明パネル４側の化粧パネル固定面５ｂの外縁部分が第一下地金具３ａや第二下地金具３ｂを固定している固定部材９を隠すように固定部３１１側に飛び出して、第二突出部３３側のパネル固定面３２２ａに接着されている。さらに、化粧パネル５では、透明パネル４側以外の化粧パネル固定面５ｂの外縁部分の一部が、側部内側面８２ａに対して化粧パネル側端面５ｃが僅かな隙間を設けた状態で、端部材パネル固定面８３ａ上に接着されている。また、化粧パネル５では、化粧パネル固定面５ｂの中央部分の一部が、木下地材７にも接着され、壁面Ｗに対して支持されている。
【００８７】
その結果、設置された発光パネル支持構造１では、第一下地金具３ａ及び第二下地金具３ｂによって壁面Ｗに対して発光パネル２を支持している状態で、透明パネル前面４ａ及び化粧パネル前面５ａと壁面Ｗとの距離が１０．５ｍｍ程度となる。したがって、壁面Ｗから内装壁面Ｗ１までの突出量が１２ｍｍ以下とされている。
【００８８】
なお、壁面Ｗに対して発光パネル２を支持している状態で、透明パネル前面４ａ及び化粧パネル前面５ａと壁面Ｗとの距離は６ｍｍから２４ｍｍの範囲で形成されることが好ましい。透明パネル前面４ａ及び化粧パネル前面５ａと壁面Ｗとの距離は、用いる透明パネル４や化粧パネル５の厚みや、支持する発光パネル２の厚みによって調整することができる。例えば、本実施形態の第一下地金具３ａ及び第二下地金具３ｂに、厚みが１８ｍｍの透明パネル４や化粧パネル５を用いた場合には、透明パネル前面４ａ及び化粧パネル前面５ａと壁面Ｗとの距離が２２．５ｍｍとなる。また、透明パネル４を用いずに、本実施形態で用いている厚み６ｍｍの化粧パネル５を直接壁面Ｗに貼り付けて固定した場合には、化粧パネル前面５ａと壁面Ｗとの距離が６ｍｍとなる。さらに、支持する発光パネル２である有機ＥＬ照明パネルの厚みが１ｍｍ程度と非常に薄く、厚みが６ｍｍ以下の透明パネル４や化粧パネル５を用いた場合には、透明パネル前面４ａ及び化粧パネル前面５ａと壁面Ｗとの距離が６ｍｍ以下とすることも可能となる。
【００８９】
また、透明パネル４の透明パネル前面４ａに対する化粧パネル５の化粧パネル前面５ａの前後方向の前側の位置が面一となり、内装壁面Ｗ１を形成している。そして、発光パネル２が発光することで、内装壁面Ｗ１のうち、透明パネル４が配置された部分からの光が室内に取り入れられる。
【００９０】
上記のような第一実施形態の下地金具３によれば、固定部３１１によって壁面Ｗに固定された第一突出部３２側の前側支持部３２２の前側当接面３２２ｂに発光パネル２の発光面２ａを当接させて支持することで、既設の壁面Ｗに対して発光パネル２を安定して設置することができる。具体的には、固定部材９によって固定部３１１が固定部壁側面３１１ａを壁面Ｗに当接して固定された状態で、第一突出部３２側の前側当接面３２２ｂによって発光パネル２の壁面Ｗと反対側を向く発光面２ａを抑えて支持している。そのため、発光パネル２が壁面Ｗに対して前後方向の前方側へ倒れてしまうことを抑制し、既設の壁面Ｗに対して発光パネル２を安定して支持することができる。これにより、壁面Ｗに対して第一下地金具３ａや第二下地金具３ｂを固定するだけで、発光パネル２を容易に後付設置することができる。
【００９１】
また、第一下地金具３ａや第二下地金具３ｂが壁面Ｗに対して発光パネル２を支持している状態で、壁面Ｗからパネル固定面３２２ａまでの距離が４．５ｍｍとなるようにアルミの押出加工によって形成されていることで、壁面Ｗから大きく突出させずに発光パネル２を支持することができる。さらに、仮に、本実施形態のようにパネル固定面３２２ａに透明パネル４や化粧パネル５等の部材を取り付けても、壁面Ｗから厚みを１２ｍｍ以内に収めることができる。
【００９２】
平板状をなす前側支持部３２２と、平板状をなす壁側支持部３１２とによって発光パネル２を挟持することで、発光パネル２を安定して支持する構造を容易に形成することができる。具体的には、平板状をなす前側支持部３２２の前側当接面３２２ｂと、平板状をなす壁側支持部３１２の壁側当接面３１２ｂとの間に発光パネル２を挟み込んで支持することで、発光パネル２の厚みに応じて、前側当接面３２２ｂと壁側当接面３１２ｂとの間隔を調整することができる。そのため、発光パネル２が壁面Ｗから離れる方向へ倒れてしまうことを高い精度で抑制することができる。したがって、既設の壁面Ｗに対して発光パネル２をより安定して支持することができる。
【００９３】
また、壁面Ｗと発光パネル２の裏面との間に、壁側支持部３１２が介在していることで、前側当接面３２２ｂと壁側当接面３１２ｂとの間で発光パネル２をスライドさせて、前側支持部３２２と壁側支持部３１２とによって挟持させても、発光パネル２の裏面が壁面Ｗと擦れて損傷することを低減できる。これらにより、壁面Ｗに対して第一下地金具３ａや第二下地金具３ｂを固定するだけで、発光パネル２をより容易に後付設置することができる。
【００９４】
平板状をなす前側支持部３２２が、平板状をなす壁側支持部３１２に比べて、壁側支持部３１２の延びる方向に長く形成されていることで、壁面Ｗと前側当接面３２２ｂとの間の空間を広く形成することができる。即ち、前側支持部３２２のみが延びている領域では、壁側支持部３１２が無い分だけ、壁面Ｗと前側当接面３２２ｂとの間の空間を広く形成することができる。そのため、前側支持部３２２と壁側支持部３１２とが平行に延びている領域では、前側当接面３２２ｂと壁側当接面３１２ｂとの間で発光パネル２を安定して挟持しながら、発光パネル２とは厚みの異なる配線２１等の部材を壁面Ｗと前側当接面３２２ｂとの間の空間に収めて配置することができる。これにより、配線２１を引き回すために必要な壁面Ｗへの凹部Ｃ等の加工が抑えられ、発光パネル２を壁面Ｗに設置する際の工数が低減される。
【００９５】
また、有機ＥＬのような発光パネル２では、種類や形状によって発光面２ａの外縁部分に形成される発光しない額縁部の幅が変わってくる。ところが、前側支持部３２２が壁側支持部３１２よりも長く形成されることで、前側当接面３２２ｂと壁側当接面３１２ｂとで発光パネル２を安定して挟持しながら、前側支持部３２２によって額縁部を隠すことができる。さらに、前側支持部３２２が平板状に形成されていることで、額縁部を隠した前側支持部３２２のパネル固定面３２２ａに目地材６等の他の部材を取り付けることができる。これにより、発光パネル２の額縁部のような発光せずに意匠性を損なう部分を削減し、内装壁面Ｗ１の意匠性を向上することができる。
【００９６】
さらに、上記のような発光パネル支持構造１によれば、第一下地金具３ａや第二下地金具３ｂによって化粧パネル５が、発光パネル２に対して水平方向や鉛直方向に並んで配置することができる。そのため、化粧パネル５で意匠性を向上させた内装壁面Ｗ１を形成しながら、壁面Ｗに対して発光パネル２を取り付けることができる。
【００９７】
また、第一下地金具３ａや第二下地金具３ｂが壁面Ｗに対して発光パネル２を支持している状態で、壁面Ｗから透明パネル前面４ａ及び化粧パネル前面５ａまでの距離を６ｍｍから２４ｍｍの範囲内とすることで、室内に対して大きく突出して室内空間を圧迫することなく、壁面Ｗに発光パネル２が組み込まれた内装壁面Ｗ１を形成することができる。特に、本実施形態では、第一下地金具３ａや第二下地金具３ｂに透明パネル４や化粧パネル５を固定した状態で、壁面Ｗから透明パネル前面４ａ及び化粧パネル前面５ａまでの距離を１０．５ｍｍ以下としている。そのため、壁面Ｗに対して発光パネル２を支持した第一下地金具３ａや第二下地金具３ｂを隠しつつ、内装壁面Ｗ１を壁面Ｗから大きく突出させずに形成することができる。これにより、より意匠性の高い発光パネル２が組み込まれた内装壁面Ｗ１を形成することができる。
【００９８】
また、発光パネル２の前後方向の前側に重なる位置に透明パネル４が配置されることで、発光パネル２の発光面２ａが外部から触れられることを防止して、壁面Ｗに取り付けた発光パネル２を保護することができる。
【００９９】
さらに、第一下地金具３ａや第二下地金具３ｂによって、透明パネル４の透明パネル前面４ａと化粧パネル５の化粧パネル前面５ａとが、前後方向の位置を面一となるように支持されることで、室内空間の意匠性が損なわれることを抑制できる。具体的には、透明パネル前面４ａと化粧パネル前面５ａとの前後方向の位置を面一となるように、透明パネル４と化粧パネル５とをパネル固定面３２２ａで支持することで、部分的に室内空間を狭めるような大きな凹凸が内装壁面Ｗ１に形成されることを抑制することができる。これにより、室内空間を圧迫することなく、意匠性の保たれた内装壁面Ｗ１を容易に形成することができる。
【０１００】
また、発光パネル２として有機ＥＬ照明パネルを用いることで、発光パネル２自体を薄くすることができる。そのため、発光パネル２を支持するために必要なスペースを抑えることができ、第一下地金具３ａや第二下地金具３ｂによって発光パネル２を壁面Ｗに取り付けた状態での壁面Ｗからの突出量をより抑えることができる。
【０１０１】
さらに、透明パネル４と化粧パネル５との間に目地材６を配置することで、化粧パネル５と透明パネル４とが異なる材料や大きさで形成されていても、化粧パネル５や透明パネル４を安定してパネル固定面３２２ａに固定することができる。具体的には、室内の温度や湿度の変化に伴って透明パネル４と化粧パネル５とがそれぞれ伸びる。特に、化粧パネル５と透明パネル４との材料・大きさ・形状等が異なっている場合には、化粧パネル５と透明パネル４とが異なる割合で伸びてしまう。そのため、部分的に透明パネル側端面４ｃと化粧パネル側端面５ｃとの距離が変化して、接触してしまうおそれがある。ところが、透明パネル４と化粧パネル５との間に配置されるようにパネル固定面３２２ａに目地材６を固定することで、目地材６によって透明パネル側端面４ｃ及び化粧パネル側端面５ｃの伸びを吸収することができる。これにより、透明パネル側端面４ｃと化粧パネル側端面５ｃとが接触してしまうことを抑制して、化粧パネル５や透明パネル４の損傷を抑制することができる。
【０１０２】
また、壁面Ｗと化粧パネル５とに当接する厚みで形成された木下地材７によって、化粧パネル５を壁面Ｗ側から支持することができる。そのため、化粧パネル５が水平方向や鉛直方向に大きく形成された場合であっても、中央部分で壁面Ｗ側に向かって撓んだり変形したりすることを抑制できる。
【０１０３】
さらに、上記のような下地金具３の施工方法によれば、第一下地金具３ａや第二下地金具３ｂを壁面Ｗの任意の箇所に取り付けることができるため、壁面Ｗに対して発光パネル２を自由に設置することができる。具体的には、第一下地金具３ａや第二下地金具３ｂに対して目地材６を固定した後に、目地材６の長手方向に合わせて発光パネル２を配置することができるため、発光パネル２の位置や傾きを調整して設置することが容易にできる。これにより、大規模な構造部材を用いずに、壁面Ｗに対して事後的に発光パネル２を任意の場所に容易に設置することができる。
【０１０４】
《第二実施形態》
次に、図６を参照して第二実施形態の発光パネル支持構造１について説明する。
第二実施形態においては第一実施形態と同様の構成要素には同一の符号を付して詳細な説明を省略する。この第二実施形態の発光パネル支持構造１は、下地金具３として端部材８を用いて発光パネル２を支持する点について第一実施形態と相違する。
【０１０５】
第二実施形態の発光パネル支持構造１では、図６に示すように、端部材８と目地材６とによって下地金具３と同等の形状を構成し、発光パネル２を支持する。具体的には、第二実施形態の発光パネル支持構造１は、第一実施形態と同形状の端部材８と、第一実施形態の目地材６とは形状の異なる変形目地材６０を有する。
【０１０６】
第二実施形態の発光パネル支持構造１では、端部材固定部８１によって、第一下地金具３ａの固定部３１１と壁側支持部３１２との機能を有する構造を形成している。また、第二実施形態の発光パネル支持構造１では、端部材前側支持部８３と後述する変形目地材６０の目地材支持部６２とによって、第一下地金具３ａの前側支持部３２２の機能を有する構造を形成している。
【０１０７】
変形目地材６０は、端部材８の端部材前側支持部８３に固定されている。変形目地材６０は、発光面２ａに当接して発光パネル２を支持する。変形目地材６０は、透明パネル固定面４ｂに当接して透明パネル４を支持する。本実施形態の変形目地材６０は、端部材８とともに前側支持部３２２に相当する構造を形成して、発光パネル２の水平方向の一方の端部を支持する。本実施形態の変形目地材６０は、第一実施形態の目地材６と同形状をなす変形目地材本体６１と、発光パネル２を支持しながら、透明パネル４を支持する目地材支持部６２とを有する。
【０１０８】
目地材支持部６２は、変形目地材本体６１と一体に形成されている。目地材支持部６２は、変形目地材本体６１が端部材前側支持部８３の端部材パネル固定面８３ａに固定されることで、所定の間隔だけ端部材固定部８１から前方に離れた位置に、端部材固定部８１と平行に配置される。これにより、目地材支持部６２は、端部材前側支持部８３とともに、第一下地金具３ａや第二下地金具３ｂの前側支持部３２２に相当する形状を形成している。具体的には、本実施形態の目地材支持部６２は、Ｃ形状のような矩形環状の一方の面が開口する断面形状をなす変形目地材本体６１の開口と反対側の面であって、変形目地材本体６１の端部材パネル固定面８３ａに固定される面の角部に形成されている。本実施形態の目地材支持部６２は、変形目地材６０が端部材８に固定された状態で、変形目地材本体６１の端部材パネル固定面８３ａに固定される面から、端部材固定部８１側に突出し、かつ、壁面Ｗに沿って側部８２から遠ざかるように平板状をなして延びている。本実施形態の目地材支持部６２は、変形目地材本体６１が端部材パネル固定面８３ａに固定された状態で、端部材パネル固定面８３ａと前後方向の位置が同じ位置となる目地材パネル固定面６２ａと、端部材前側当接面８３ｂと前後方向の位置が同じ位置となる目地材前側当接面６２ｂと、が形成されている。
【０１０９】
目地材パネル固定面６２ａは、壁面Ｗ側の反対側である前後方向の前側を向いて形成されている。目地材パネル固定面６２ａは、変形目地材６０が端部材８に固定された状態で、端部材壁側当接面８１ｂと平行になるように形成されている目地材パネル固定面６２ａは、変形目地材６０の延在する方向に延びる長方形状をなしている。目地材パネル固定面６２ａは、透明パネル４が固定される面である。
【０１１０】
目地材前側当接面６２ｂは、変形目地材６０が端部材８に固定された状態で、端部材壁側当接面８１ｂと対向するように形成されている。目地材前側当接面６２ｂは、変形目地材６０の延在する方向に延びる長方形状をなして壁面Ｗ側を向いて形成されている。目地材前側当接面６２ｂは、端部材８とともに発光パネル２を支持した状態で、発光パネル２の発光面２ａと当接する面である。
【０１１１】
また、第二実施形態の端部材前側支持部８３は、目地材支持部６２とともに、壁面Ｗに対して発光パネル２を支持している状態で、壁面Ｗからパネル固定面３２２ａまでの距離が２ｍｍから６ｍｍの範囲で形成されることが好ましい。具体的には、第二実施形態の端部材前側支持部８３では、第一実施形態の第一下地金具３ａや第二下地金具３ｂと同様に、端部材壁固定面８１ａから端部材パネル固定面８３ａや目地材パネル固定面６２ａまでが４．５ｍｍ程度の厚みで形成されている。
【０１１２】
上記のような第二実施形態の端部材８によれば、端部材固定部８１によって壁面Ｗに固定された端部材前側支持部８３の端部材前側当接面８３ｂ及び目地材支持部６２の目地材前側当接面６２ｂに発光パネル２の発光面２ａを当接させて支持することで、既設の壁面Ｗに対して発光パネル２を安定して設置することができる。具体的には、側部８２が形成された端部材８の端部材前側支持部８３の端部材前側当接面８３ｂより、端部材８に固定された目地材支持部６２の目地材前側当接面６２ｂによって発光パネル２の壁面Ｗと反対側を向く発光面２ａを抑えて支持している。そのため、側部８２によって内装壁面Ｗ１の端面を形成しながら、発光パネル２が壁面Ｗに対して前後方向の前方側へ倒れてしまうことを抑制し、既設の壁面Ｗに対して発光パネル２を安定して支持することができる。これにより、内装壁面Ｗ１の端部で、壁面Ｗに対して発光パネル２を容易に後付設置することができる。
【０１１３】
また、端部材前側支持部８３及び目地材支持部６２が壁面Ｗに対して発光パネル２を支持している状態で、壁面Ｗから端部材パネル固定面８３ａまでの距離が４．５ｍｍとなるように形成されていることで、壁面Ｗから大きく突出させずに発光パネル２を支持することができる。さらに、仮に、本実施形態のように端部材パネル固定面８３ａに変形目地材６０や透明パネル４等の部材を取り付けても、壁面Ｗから厚みを１２ｍｍ以内に収めることができる。これにより、室内空間を圧迫せずに、鉛直方向や水平方向の端部に発光パネル２が組み込まれた内装壁面Ｗ１を形成することができる。
【０１１４】
平板状をなす端部材前側支持部８３や目地材支持部６２と、平板状をなす端部材固定部８１とによって発光パネル２を挟持することで、発光パネル２を安定して支持する構造を容易に形成することができる。具体的には、平板状をなす端部材前側支持部８３の端部材前側当接面８３ｂ及び目地材支持部６２の目地材前側当接面６２ｂと、平板状をなす端部材固定部８１の端部材壁側当接面８１ｂとの間に発光パネル２を挟み込んで支持することで、発光パネル２の厚みに応じて、端部材前側当接面８３ｂ及び目地材前側当接面６２ｂと端部材壁側当接面８１ｂとの間隔を調整することができる。そのため、発光パネル２が壁面Ｗから離れる方向へ倒れてしまうことを高い精度で抑制することができる。したがって、既設の壁面Ｗに対して発光パネル２をより安定して支持することができる。
【０１１５】
さらに、上記のような端部材８を用いた発光パネル支持構造１によれば、端部材８の側部８２によって内装壁面Ｗ１の端面を形成しながら、発光パネル２を支持することができるために、内装壁面Ｗ１の外縁であっても発光パネル２を取り付けることができる。そのため、壁面Ｗに対して発光パネル２をより自由に設置することができる。即ち、大規模な構造部材を用いずに、壁面Ｗに対する発光パネル２を設置する場所の自由度を向上させ、事後的に壁面Ｗの任意の場所に対して容易に設置することができる。
【０１１６】
また、端部材８や変形目地材６０によって、発光パネル２の前後方向の前側に重なる位置に透明パネル４が配置されることで、発光パネル２の発光面２ａが外部から触れられることを防止して、壁面Ｗに取り付けられて発光パネル２を保護することができる。
【０１１７】
さらに、端部材８や変形目地材６０によって、透明パネル４の透明パネル前面４ａと化粧パネル５の化粧パネル前面５ａとが、前後方向の位置を面一となるように支持されることで、内装壁面Ｗ１の端部においても室内空間の意匠性が損なわれることを抑制できる。具体的には、透明パネル前面４ａと化粧パネル前面５ａとの前後方向の位置を面一となるように、透明パネル４と化粧パネル５とをパネル固定面３２２ａで支持することで、部分的に室内空間を狭めるような大きな凹凸が内装壁面Ｗ１の鉛直方向や水平方向の端部に形成されることを抑制することができる。これにより、室内空間を圧迫することなく、端部まで意匠性の保たれた内装壁面Ｗ１を容易に形成することができる。
【０１１８】
なお、第二実施形態においては、変形目地材６０を有していることに限定されるものではなく、変形目地材６０を有しておらず、端部材８のみで発光パネル２を挟持する構造としてもよい。具体的には、変形目地材６０を有していない場合には、端部材８の端部材固定部８１と端部材前側支持部８３とによって発光パネル２を支持してもよい。この際、端部材固定部８１が壁側支持部３１２と同形状に形成され、端部材前側支持部８３が前側支持部３２２と同形状に形成されていることが好ましい。
【０１１９】
以上、本発明の実施形態について図面を参照して詳述したが、各実施形態における各構成及びそれらの組み合わせ等は一例であり、本発明の趣旨から逸脱しない範囲内で、構成の付加、省略、置換、およびその他の変更が可能である。また、本発明は実施形態によって限定されることはなく、特許請求の範囲によってのみ限定される。
【０１２０】
なお、本実施形態では、第一下地金具３ａや第二下地金具３ｂは、前側支持部３２２と壁側支持部３１２とを有していたが、このような形状に限定でされるものではなく、発光パネル２の発光面２ａを支持する前側支持部３２２を有していればよい。即ち、例えば、第一下地金具３ａや第二下地金具３ｂのベース部３１において、壁側支持部３１２が形成されておらず、固定部３１１のみを有していてもよい。このような形状とした場合には、壁面Ｗや前側当接面３２２ｂと発光パネル２との間に緩衝材等の他の部材を設けて、壁面Ｗと前側当接面３２２ｂとの隙間の大きさと発光パネル２の厚みとのガタツキを抑える構造とすることが好ましい。
【０１２１】
また、本実施形態では、第一下地金具３ａや第二下地金具３ｂは、第一突出部３２と第二突出部３３とを有していたが、このような形状に限定にされるものではなく、いずれか一方のみを有していてもよい。
【０１２２】
さらに、本実施形態では、化粧パネル５の化粧パネル前面５ａと透明パネル４の透明パネル前面４ａとの前後方向の位置が面一となるように形成されているが、前後方向の位置が完全に同じ位置であることに限定されるものではなく、数ｍｍ程度ずれていてもよい。
【０１２３】
また、本実施形態における目地材６は、透明パネル４と化粧パネル５との間に配置されていたが、このような配置に限定されるものではなく、化粧パネル５同士の間に配置されていてもよい。即ち、化粧パネル５が水平方向か延方向に隣接して配置されており、化粧パネル側端面５ｃ同士の隙間に目地材６が配置されていてもよい。
【０１２４】
さらに、目地材６は、本実施形態のようにＣ形状のような矩形環状の一方の面が開口された断面形状をなすものに限定されるものではなく、他の形状やコーキング等の一般的な目地材６を用いてもよい。
【０１２５】
また、本実施形態では、発光パネル支持構造１は、建築物の室内の壁面Ｗの一部に配置されたが、このような実施形態に限定されるものではない。例えば、壁面Ｗの全面を覆って内装壁面Ｗ１を構成するように用いられてもよく、屋外の壁面Ｗに用いられてもよい。
【符号の説明】
【０１２６】
Ｗ…壁面  １…発光パネル支持構造  Ｗ１…内装壁面  ２…発光パネル  ２ａ…発光面  ２１…配線  ２２…コネクタ  Ｃ…凹部  ３…下地金具  ３ａ…第一下地金具  ３１…ベース部  ３１１…固定部  ３１１ａ…固定部壁側面  ３１１ｂ…固定部前側面  ３１２…壁側支持部  ３１２ａ…壁固定面  ３１２ｂ…壁側当接面  ３２…第一突出部  ３２１…接続部  ３２１ａ…接続部内側面  ３２１ｂ…接続部外側面  ３２２…前側支持部  ３２２ａ…パネル固定面  ３２２ｂ…前側当接面  ３３…第二突出部  ３ｂ…第二下地金具  ４…透明パネル  ４ａ…透明パネル前面  ４ｂ…透明パネル固定面  ４ｃ…透明パネル側端面  ５…化粧パネル  ５ａ…化粧パネル前面  ５ｂ…化粧パネル固定面  ５ｃ…化粧パネル側端面  ６…目地材  ７…木下地材  ８…端部材  ８１…端部材固定部  ８１ａ…端部材壁固定面  ８１ｂ…端部材壁側当接面  ８２…側部  ８２ａ…側部内側面  ８２ｂ…側部外側面  ８３…端部材前側支持部  ８３ａ…端部材パネル固定面  ８３ｂ…端部材前側当接面  ９…固定部材  Ｓ１０…準備工程  Ｓ２０…目地材固定工程  Ｓ３０…下地金具固定工程  Ｓ４０…発光パネル支持工程  Ｓ５０…配線引き回し工程  Ｓ６０…端部材固定工程  Ｓ７０…木下地材固定工程  Ｓ８０…透明パネル固定工程  Ｓ９０…化粧パネル固定工程  ６０…変形目地材  ６１…変形目地材本体  ６２…目地材支持部  ６２ａ…目地材パネル固定面  ６２ｂ…目地材前側当接面
【図１】
2015225730.tif 000003
【図２】
2015225730.tif 000004
【図３】
2015225730.tif 000005
【図４】
2015225730.tif 000006
【図５】
2015225730.tif 000007
【図６】
2015225730.tif 000008